(57)【要約】【課題】空気清浄性能に優れ、かつ設置条件を緩和し、保守作業や現地加工作業の容易化を実現するエレベータ用かご室を得る。【解決手段】エレベータのかご室内に設けられ、白金を溶出させた結露水に高電圧を印加することでかご室内の所定範囲に白金を含むミストを噴射するミスト発生装置（１３）を備える。所望の方向に所望の風速、風量で、白金を含むミストを所定範囲に噴射することで、空気清浄性能の向上が実現できる。さらに、ミスト発生装置を用いることで設置条件に自由度を持たせることができ、保守作業や現地加工作業の容易化も実現できる。【選択図】図２
2012041173.tif 000002
【特許請求の範囲】
【請求項１】
エレベータのかご室内に設けられ、白金を溶出させた結露水に高電圧を印加することで前記かご室内の所定範囲に白金を含むミストを噴射するミスト発生装置を備えたことを特徴とするエレベータ用かご室。
【請求項２】
請求項１に記載のエレベータ用かご室において、
前記かご室の天井部に設けられ、吸気および排気機能を有するかご室ファンをさらに備え、
前記ミスト発生装置は、前記かご室ファンの風下に設置され、前記かご室ファンから排気される吹き出し風に前記白金を含むミストを混入させて、前記かご室内の所定範囲に前記ミストを噴射することを特徴とするエレベータ用かご室。
【請求項３】
請求項２に記載のエレベータ用かご室において、
前記かご室ファンの近傍に設置され、前記かご室ファンの吹き出し風を暖めるための熱源部をさらに備えることを特徴とするエレベータ用かご室。
【請求項４】
請求項２または３に記載のエレベータ用かご室において、
前記ミスト発生装置は、あらかじめ調整されたかご室ファンの風速、風量、気流方向に応じて、所望の方向に所望の風速、風量で前記白金を含むミストを前記所定範囲に噴射することを特徴とするエレベータ用かご室。
【請求項５】
請求項１ないし４のいずれか１項に記載のエレベータ用かご室において、
前記ミスト発生装置は、前記かご室の天井部、あるいは前記かご室の壁面に設置されることを特徴とするエレベータ用かご室。
【請求項６】
エレベータのかご室内に設けられ、白金を溶出させた結露水に高電圧を印加することで前記かご室内の所定範囲に白金を含むミストを噴射するミスト発生装置を備えたエレベータ用かご室の空気清浄方法であって、
前記かご室の天井部、あるいは前記かご室の壁面に設置された前記ミスト発生装置から、所望の方向に所望の風速、風量で前記白金を含むミストを放出することで、前記かご室内の所望の小空間に相当する前記所定範囲において前記ミストを崩壊させ、前記小空間において部分的な湿度分布を生成させることを特徴とするエレベータ用かご室の空気清浄方法。
【発明の詳細な説明】
【技術分野】
【０００１】
本発明は、かご室内の空気を清浄化する機能を備えたエレベータ用かご室およびエレベータ用かご室の空気清浄方法に関する。
【背景技術】
【０００２】
図９は、従来のエレベータ用かご室を示す平面図であり、図１０は、従来のエレベータ用かご室を示す正面図である。これら図９、図１０に示す従来のエレベータかご室は、かご室の壁面１、かご室天井２、出入り口３、空気清浄機２１、ダクト２２、およびボックス２３を備えて構成されている（例えば、特許文献１参照）。
【０００３】
かご内は、設置環境、汚れによって異臭がするなど、不快な環境になることがあり、空気清浄機２１の適用が求められる場合が多い。そこで、従来のエレベータ用かご室では、かご室天井２上に空気清浄機２１、ダクト２２、およびボックス２３を設けることで、かご内の空気を吸い込み、清浄化された空気を送り込む循環式を採用している。
【先行技術文献】
【特許文献】
【０００４】
【特許文献１】特開２００６−０２１９１１号公報
【発明の概要】
【発明が解決しようとする課題】
【０００５】
しかしながら、従来の循環式の空気清浄技術には、以下の４点のような制約が課題として挙げられる。
［課題１］かご上という限られたスペースに空気清浄機を設置する必要があり、かご上の機器配置が成立しない場合は、適用不可となる。
［課題２］かご内空気の循環式とすると、吹出口のほか、吸い込み口を設ける必要があり、風路を確保したかご構造が必要となる。
【０００６】
［課題３］かご内空気を吸い込む方式であり、空気清浄機内部の汚れ防止のため、エアフィルタが必要であり、清掃・交換などの定期作業が発生する。
［課題４］かご上に空気清浄機を設置することになり、重量増による制約が発生する。
【０００７】
本発明は、前記のような課題を解決するためになされたものであり、空気清浄性能に優れ、かつ設置条件を緩和し、保守作業や現地加工作業の容易化を実現するエレベータ用かご室およびエレベータ用かご室の空気清浄方法を得ることを目的とする。
【課題を解決するための手段】
【０００８】
本発明に係るエレベータかご室は、エレベータのかご室内に設けられ、白金を溶出させた結露水に高電圧を印加することでかご室内の所定範囲に白金を含むミストを噴射するミスト発生装置を備えるものである。
【０００９】
また、本発明に係るエレベータかご室の空気清浄方法は、エレベータのかご室内に設けられ、白金を溶出させた結露水に高電圧を印加することでかご室内の所定範囲に白金を含むミストを噴射するミスト発生装置を備えたエレベータ用かご室の空気清浄方法であって、かご室の天井部、あるいはかご室の壁面に設置されたミスト発生装置から、所望の方向に所望の風速、風量で白金を含むミストを放出することで、かご室内の所望の小空間に相当する所定範囲においてミストを崩壊させ、小空間において部分的な湿度分布を生成させるものである。
【発明の効果】
【００１０】
本発明に係るエレベータかご室およびエレベータ用かご室の空気清浄方法によれば、空気清浄機の代わりに、白金を含むミスト発生装置を用いることにより、空気清浄性能に優れ、かつ設置条件を緩和し、保守作業や現地加工作業の容易化を実現するエレベータ用かご室およびエレベータ用かご室の空気清浄方法を得ることができる。
【図面の簡単な説明】
【００１１】
【図１】本発明の実施の形態１におけるエレベータ用かご室を示す平面図である。
【図２】本発明の実施の形態１におけるエレベータ用かご室を示す正面図である。
【図３】本発明の実施の形態１におけるエレベータ用かご室のファンカバーの詳細図である。
【図４】本発明の実施の形態１におけるミスト発生装置の取付図である。
【図５】本発明の実施の形態１におけるエレベータ用かご室を示す正面図である。
【図６】本発明の実施の形態２におけるエレベータ用かご室を示す平面図である。
【図７】本発明の実施の形態２におけるエレベータ用かご室を示す正面図である。
【図８】本発明の実施の形態３におけるエレベータ用かご室を示す正面図である。
【図９】従来のエレベータ用かご室を示す平面図である。
【図１０】従来のエレベータ用かご室を示す正面図である。
【発明を実施するための形態】
【００１２】
以下、本発明のエレベータかご室の好適な実施の形態につき図面を用いて説明する。
【００１３】
実施の形態１．
図１は、本発明の実施の形態１におけるエレベータ用かご室を示す平面図であり、図２は、本発明の実施の形態１におけるエレベータ用かご室を示す正面図である。これら図１、図２に示す本実施の形態１のエレベータかご室は、かご室の壁面１、かご室天井２、出入り口３、かご室ファン１１、ファンカバー１２、および白金を含むミスト発生装置１３（以下、単にミスト発生装置と称す）を備えて構成されている。
【００１４】
背景技術として説明したように、かご内は、設置環境、汚れによって異臭がするなど、不快な環境になることがあり、空気清浄機２１の適用が求められる場合が多い。そこで、本実施の形態１のエレベータ用かご室では、かご室天井２上に、かご室ファン１１、ファンカバー１２、およびミスト発生装置１３を設けることで、従来の空気清浄機２１による循環式とは異なる方式で、空気の清浄化を図っている。
【００１５】
そこで、次に、本実施の形態１における空気の清浄化方法について、具体的に説明する。本実施の形態１では、図１、図２に示したように、かご室に取り付けられたかご室ファン１１近傍に、ミスト発生装置１３を設置している。このミスト発生装置１３は、かご室ファン１１に対して風下に設置される。これにより、かご室ファン１１の吹き出し風にミストを混入させて、かご室内に放出することができる。
【００１６】
次に、白金を含むミスト発生装置１３の詳細について説明する。ミスト発生装置１３内のペルチェ素子で生成された結露水に対して、高圧電極をＤＣ４〜５ＫＶの高電圧で印加することにより、ナノサイズにミスト化する。その際、結露水を白金ナノコロイド含有フェルトに通すことで、結露水に白金を溶出させることにより、ミストへの白金混入が可能となる。白金ナノコロイド含有フェルトは、ミスト発生装置１３内に取り込まれており、結露水を通すことで、白金を溶出させる。
【００１７】
図３は、本発明の実施の形態１におけるエレベータ用かご室のファンカバーの詳細図である。また、図４は、本発明の実施の形態１におけるミスト発生装置の取付図である。白金を含むミスト発生装置１３の設置要領の一例としては、図３、図４に示すように、かごに設置されたかご室ファン１１にファンカバー１２を取り付けて、ファンカバー１２の内面に取付金１４を用いて設置する。固定方法は、ねじ、リベット等、任意の方法が可能である。
【００１８】
ミスト発生装置１３をかご室ファン１１の風上側に設置すると、かご室ファン１１をミストが通過するような使い方となり、ミストがかご室ファン１１に衝突し、かご室内への放出量が減ってしまう。したがって、ミスト発生装置１３のかご室ファン１１に対する配置は、風下にすることが望ましい。
【００１９】
白金を含んだミストを適正な噴射速度、風量、風向に調整することで、狙った高さで故意にミストを崩壊させ、かご室内に部分的な湿度分布を生成することができる。それにより、乗客の顔の高さ等の小空間に相当する必要な範囲のみ、効率よく抗ウィルス、抗菌化を行うことが可能である。なお、ミストの噴射速度、風量、風向の調整機能は、ミスト発生装置自身に持たせることも可能であり、また、かご室ファン１１に、風速、風量、気流方向の調整機能を持たせることでも調整可能である。
【００２０】
図５は、本発明の実施の形態１におけるエレベータ用かご室を示す正面図であり、操作盤４を備えた構成を示している。かご室ファン１１の設置位置により、かご室の壁面１、操作盤４等への直接噴射も可能となる。この結果、乗客の顔の高さ等の小空間ばかりでなく、かご室の壁面１、操作盤４等に付着した菌に対する効果を得ることも容易に可能となる。
【００２１】
なお、風量については、乗客の顔の高さで０．５ｍ／ｓ以下とすれば、吹かれ感を少なくした上で（すなわち、不快に思わない風速として上で）、効果を得ることが可能である。よって、かご内への吹き出し口面積（開口部）を絞ることで、例えば、吹き出し風速を１ｍ／ｓ程度とすれば、人体までの約１ｍ先で、０．５ｍ／ｓとすることができる。上記風速とすれば、ミストは、静電気により人体に引き寄せられる。よって、人体に直接吹き付けなくても、ある程度人の近くまで吹き出せれば、効果を得ることが可能である。
【００２２】
上述したように、白金を含むミスト発生装置１３をかご室内の空気清浄に用いることで、白金の持つ、ウィルス／菌除去、抗酸化作用による美肌・保湿効果、およびミスト効果によるカビ／アレルゲン除去、脱臭効果などの効果を、エレベータかご室内で容易に得ることが可能となる。
【００２３】
本実施の形態１の技術の代わりに、かご室の壁面１や操作盤４を抗菌仕様に変更しようとすると、仕上げ、型名ごとに開発が必要となり、膨大な開発負荷、時間が必要になる。これに対して、本実施の形態１の技術では、そのような負荷を掛けずに、容易に抗菌／ウィルス除去仕様とすることが可能である。
【００２４】
また、従来の空気清浄機２１では、かご室内全体の空気を循環させ、空気中を浮遊するウィルス等の除去などの機能付加を可能としていた。しかしながら、かご室全体の空気を循環するとなると、容積も大きく清浄効率が悪い。また、付着菌への除去効果はない。
【００２５】
これに対して、白金を含むミスト発生装置を用いる本技術では、小空間および付着菌に対し、ピンポイントでの効果を得ることが可能となるので、清浄効率も高い。
【００２６】
さらに、エレベータかご室にミスト発生装置１３を設置することで、従来の空気清浄機２１によるかご室内清浄と比較して、以下の利点がある。
［利点１］大掛かりなかご上機器配置が不要となる。
［利点２］小空間、ピンポイントへの効果（浮遊菌、付着菌など）が可能である。
［利点３］循環式にする必要はなく、吸い込み口／吹出し口の風路を確保したかご構造とすることが不要となる。
［利点４］エアフィルタはなく、清掃などの定期保守作業が不要である。
［利点５］重量増がほとんどなく、重量制約は発生しない。
【００２７】
さらに、既設のエレベータに対し、従来のように空気清浄機２１を設置しようとすると、取付け用の加工や、かご室天井２の改造もしくは交換など、作業に多大な手間が掛かっていた。これに対して、ミスト発生装置を用いる本方法であれば、ファンカバー１２およびミスト発生装置１３をかご室ファン１１近傍に設置するのみで、現地加工の省力が可能となる。
【００２８】
以上のように、実施の形態１によれば、空気清浄機の代わりに、白金を含むミスト発生装置を用いることにより、白金の持つ、ウィルス／菌除去、抗酸化作用による美肌・保湿効果、およびミスト効果によるカビ／アレルゲン除去、脱臭効果などの効果を、エレベータかご室内で容易に実現でき、空気清浄機能の向上を図ることができる。さらに、ファンとミスト発生装置を設置すればよく、従来の循環式の空気清浄機の設置と比較して、設置条件が緩和され、保守作業や現地加工作業も容易となるメリットも得られる。
【００２９】
実施の形態２．
先の実施の形態１では、ミスト発生装置を、かご室天井２上に設けられたかご室ファン１１のファンカバー１２内に設けた場合について説明した。これに対して、本実施の形態２では、ミスト発生装置を、かご室の壁面１に設ける場合について説明する。
【００３０】
図６は、本発明の実施の形態２におけるエレベータ用かご室を示す平面図であり、図７は、本発明の実施の形態２におけるエレベータ用かご室を示す正面図である。これら図６、図７に示す本実施の形態２のエレベータかご室は、かご室の壁面１、かご室天井２、出入り口３、かご室ファン１１、および白金を含むミスト発生装置１３を備えて構成されている。
【００３１】
本実施の形態２では、図７に示すように、ミスト発生装置１３をエレベータかご室の壁面１に設置している。これにより、ファンカバー１２が不要となり、部品点数の削減等のメリットがある。また、かご室内の任意の位置に取り付けることが可能なため、容易にかご室内の任意の位置を抗菌化することが可能である。
【００３２】
壁面１へのミスト発生装置１３の取り付け方法は、先の実施の形態１と同じで、取付金１４を使用する。ミスト発生装置１３によるかご室内で得られる効果は、先の実施の形態１と同じである。
【００３３】
以上のように、実施の形態２によれば、ミスト発生装置をエレベータかご室の壁面に設置することで、先の実施の形態１と同様の効果が得られるとともに、設置位置の自由度が増え、さらに、ファンカバーが不要になることにより部品点数の削減を図ることができる。
【００３４】
実施の形態３．
本実施の形態３では、熱源をさらに備えた構成について、説明する。
図８は、本発明の実施の形態３におけるエレベータ用かご室を示す正面図である。図８に示す本実施の形態３のエレベータかご室は、かご室の壁面１、かご室天井２、かご室ファン１１、ファンカバー１２、白金を含むミスト発生装置１３、および熱源１５を備えて構成されている。
【００３５】
先の実施の形態１における図２に示した正面図と比較すると、本実施の形態３における図８の構成は、ファンカバー１２の中に熱源１５をさらに備えている点が異なっている。この熱源１５は、例えば、ニクロム線ヒーター等で構成されている。
【００３６】
本実施の形態３では、ファンカバー１２の内面に熱源１５を設置することで、熱源１５によりかご室ファン１１の吹き出し風を暖めることができる。このように、かご室ファン１１の近傍に熱源１５を配置することで、人体に冷たい風が当たることによる不快感を与えず、冬場の寒い時期にもかご室ファン１１を止めることなく、白金ミストの効果を得ることが可能となる。
【００３７】
さらに、冬場の冷たい空気では、結露水の発生の不足が懸念される。これに対して、熱源１５によりミスト発生装置１３近辺の空気を暖めることで、結露水の出やすい環境を保持することが可能となる。
【００３８】
なお、結露水が出なければ、ミストの発生が少なくなり、得られる効果も少なくなる。したがって、熱源１５は、図８に示すように、かご室ファン１１の風上側に設置して、結露水の出やすい空気環境を作ることが望ましい。
【００３９】
なお、熱源１５は、ファンカバー１２に取り付け可能であれば何でもよい。また、熱源１５のファンカバー１２への取り付け方法は、先の実施の形態１における図４で示した取付金１４を用いることが可能である。
【００４０】
以上のように、実施の形態３によれば、ミスト発生装置と併用して熱源を用いることで、先の実施の形態１、２と同様の効果が得られるとともに、冬場の寒い時期など必要に応じて、ファンの吹き出し風を暖めることができ、乗客に対して不快感を与えることを防止でき、さらに、結露水の出やすい環境を維持することが可能となる。
【符号の説明】
【００４１】
１  かご室の壁面、２  かご室天井、３  出入り口、４  操作盤、１１  かご室ファン、１２  ファンカバー、１３  ミスト発生装置、１４  取付金、１５  熱源（熱源部）。
【図１】
2012041173.tif 000003
【図２】
2012041173.tif 000004
【図３】
2012041173.tif 000005
【図４】
2012041173.tif 000006
【図５】
2012041173.tif 000007
【図６】
2012041173.tif 000008
【図７】
2012041173.tif 000009
【図８】
2012041173.tif 000010
【図９】
2012041173.tif 000011
【図１０】
2012041173.tif 000012